(57)【特許請求の範囲】
【請求項１】
乗客コンベアの手摺ガイドレールへクリップガイドを装着する際に用いられるクリップガイド押込治具であって、
前記クリップガイドの一部を少なくとも一部に収容するクリップガイド収容溝を有する本体と、
前記本体において前記クリップガイド収容溝の形成側とは反対側の裏側外面部に接続され、手で握ることができる把持部を含む取手と、
前記クリップガイド収容溝の内面に固定されると共に前記クリップガイドの一部を前記クリップガイド収容溝の幅方向に挟持する挟持部を含み、弾性を有する弾性部と、
を備えるクリップガイド押込治具。
【請求項２】
前記挟持部が、その挟持部の間に存在する隙間の前記幅方向の長さが前記クリップガイド収容溝の深さ方向の底側に行くにしたがって徐々に小さくなる内面部を含む、請求項１に記載のクリップガイド押込治具。
【請求項３】
前記本体及び前記取手が、金属で形成され、
前記本体が、直線に略平行に延在し、
前記把持部が、前記本体に略平行に延在する、請求項１又は２に記載のクリップガイド押込治具。
【請求項４】
前記クリップガイド収容溝が、前記本体の長手方向の一端から他端まで延在し、
前記挟持部が、前記長手方向に延在して、前記挟持部の前記長手方向の両端が、前記長手方向に開口している、請求項３に記載のクリップガイド押込治具。
【請求項５】
前記本体及び前記取手が金属で形成される一方、前記弾性部がゴムで形成され、
前記本体が、前記クリップガイド収容溝の深さ方向の底面を画定する底板部を有し、
前記取手が、前記把持部の前記延在方向の第１端部と前記底板部における前記クリップガイド収容溝側とは反対側の裏面の第１箇所とを接続する第１接続部と、前記把持部の前記延在方向の第２端部と前記裏面の第２箇所とを接続する第２接続部とを有する、請求項１乃至３のいずれか１つに記載のクリップガイド押込治具。
【請求項６】
前記挟持部の少なくとも一方が、前記深さ方向に湾曲すると共に前記長手方向に延在する凹面を含む、請求項１乃至４のいずれか１つに記載のクリップガイド押込治具。
【請求項７】
乗客コンベアのクリップガイドの延在方向の一部の凹部を手摺ガイドレールの縁部に嵌合させる嵌合ステップと、
前記クリップガイドにおいて前記縁部に嵌合している嵌合部の一部を少なくとも含む部分を、その凹部の開口側を請求項１乃至４のいずれか１つに記載のクリップガイド押込治具の前記クリップガイド収容溝の開口側に向けた状態で、前記挟持部に挟持させる挟持ステップと、
前記嵌合ステップ及び前記挟持ステップの後、前記取手に力を付与することで前記クリップガイド押込治具を前記クリップガイドにおける前記嵌合部側の先端側に押し出すことで、前記嵌合部を押し出し方向に押し込む嵌合部押込ステップと、
を含む、クリップガイド押込方法。
【請求項８】
前記挟持ステップにおいて、前記クリップガイドの一部を前記挟持部における延在方向の一部のみに挟持させる、請求項７に記載のクリップガイド押込方法。
【発明の詳細な説明】
【技術分野】
【０００１】
本開示は、乗客コンベアの手摺ガイドレールへクリップガイドを装着する際に用いるクリップガイド押込治具に関する。また、本開示は、手摺ガイドレールにクリップガイドを装着する際に用いるクリップガイド押込方法に関する。
【背景技術】
【０００２】
エスカレーターは、階段状をなして移動するステップと同期してその両側の欄干部上を移動する移動手摺を有している。移動手摺は、下りエスカレーターでは下層階の乗降口、上りエスカレーターでは上層階の乗降口において、Ｕターンするように移動方向を反転してからトラスの手摺入込口内へと進入していく。更には、特許文献１に記載されているように、最近のエスカレーターには、手摺入込口に、安全装置であるハンドガードスイッチ（ＨＧＳ）が設けられている。
【０００３】
ハンドガードスイッチ装置は、トラスの手摺入込口と移動手摺との間の隙間に移動手摺の移動によって幼児等の手が引きずり込まれるのを防止する。詳しくは、ハンドガードスイッチ装置は、ゴム製のブーツ、付勢部材、及び検出スイッチを備える。ゴム製のブーツは、摺入込口において移動手摺を若干の隙間を空けて覆うと共に、トラス端面から外側に例えば数センチメートル程度突出する。また、付勢部材は、ブーツをトラス内側から付勢して所定位置に保持し、検出スイッチは、乗降口付近にいる子供（特に幼児）の手がブーツ端面にぶつかってブーツがトラス内側に移動したことを検出する。ハンドガードスイッチ装置は、検出スイッチでブーツが移動したことを検出したとき、エスカレーターの運転を非常停止させることで手摺入込口への乗客の手の引き込みを防止する。
【０００４】
また、無端状をなす移動手摺は、金属板で形成された手摺ガイドレールによってガイドされながらエスカレーターの上層階と下層階との間を周回移動し、移動手摺は、例えばウレタンゴム製の移動手摺の内面を有する。よって、移動手摺の内面が手摺ガイドレールの縁部に摺接して磨耗や損傷しないように、手摺ガイドレールの縁部を、略Ｕ字状の断面形状を有する樹脂製のクリップガイドで覆って、移動手摺の内面と手摺ガイドレールの縁部とが接触しないようにしていることがある。しかし、この場合においても、クリップガイドの外表面に対する移動手摺の摺接に起因して、クリップガイドが徐々に磨耗するため、クリップガイドは、消耗品として所定のタイミングで新品に交換する必要がある。
【先行技術文献】
【特許文献】
【０００５】
【特許文献１】特開２０１１−１１６５１８号公報
【発明の概要】
【発明が解決しようとする課題】
【０００６】
手摺ガイドレールは、ステップの両側に下層階から上層階にかけて延伸し、上下層階の各乗降口においては手摺入り込み部からトラス内の所定位置まで入り込む。エスカレーターが新設される際、クリップガイドは、ハンドガードスイッチ装置を手摺入込口に装着する前では、露出した手摺ガイドレールの縁部に側方から容易に嵌め込むことができる。
【０００７】
しかし、既設のエスカレーターにおいてクリップガイドを交換する際には、エスカレーターのトラス外に位置する手摺ガイドレール部分については、移動手摺を取り外すことで手摺ガイドレールを露出させてクリップガイドを容易に交換できるのに対し、手摺入込口からトラス内に延びる手摺ガイドレール部分については、それを覆う移動手摺と、さらにその外側を覆って設けられたハンドガイドスイッチ装置のブーツの存在により、トラスの一部とハンドガイドスイッチ装置を分解せずに手摺ガイドレールを露出させることができず、それらの分解によりクリップガイドを取り付ける場合には、分解作業に相当の工数及び時間を要する。
【０００８】
そのため、通常、トラス内に入り込んだ手摺ガイドレールの部分に取り付けられたクリップガイドの交換は、移動手摺においてトラス外に位置する部分を手摺ガイドレールから取り外した状態、より詳しくは、移動手摺を手摺入込口のところまで手摺ガイドレールから取り外した状態で、乗降口において古いクリップガイドを引き抜いた後、新品のクリップガイドの端部を手摺ガイドレールの縁部に嵌め込んだ状態で、手摺ガイドレールと移動手摺との間の隙間にクリップガイドを押し込むことで実行する。
【０００９】
しかしながら、この方法でも、クリップガイドにおける手摺ガイドレールの嵌合部と、手摺ガイドレールとの間に摩擦抵抗があるため、嵌合部をスライドさせるのに強い力が必要になる。また、クリップガイドは細くて掴み難く、更には柔軟な素材で形成されているので、クリップガイドに効率的に力を伝え難く、クリップガイドを手で送り込むのが難しい。また、クリップガイドの嵌合部の交差により、押込みが極めて困難な場合もある。
【００１０】
更には、１ヶ所の手摺入込口における１本のクリップガイドの押込みにも結構な時間と労力を要するが、手摺ガイドレールは、左右両側に２つのガイドレール部を有し、それに加えて、手摺入込口は、上下層階の各乗降口の両側に４ヶ所存在する。よって、クリップガイドの押込作業を１基のエスカレーターにつき合計８回行わなければならず、クリップガイドの交換にかなりの時間および労力が必要になる。
【００１１】
そこで、本開示の目的は、クリップガイドの取り換えの労力を低減できるクリップガイド押込治具及び方法を提供することにある。
【課題を解決するための手段】
【００１２】
上記課題を解決するため、本開示に係るクリップガイド押込治具は、乗客コンベアの手摺ガイドレールへクリップガイドを装着する際に用いられるクリップガイド押込治具であって、前記クリップガイドの一部を少なくとも一部に収容するクリップガイド収容溝を有する本体と、前記本体において前記クリップガイド収容溝の形成側とは反対側の裏側外面部に接続され、手で握ることができる把持部を含む取手と、前記クリップガイド収容溝の内面に固定されると共に前記クリップガイドの一部を前記クリップガイド収容溝の幅方向に挟持する挟持部を含み、弾性を有する弾性部と、を備える。
【００１３】
本開示のクリップガイド押込治具を用いたクリップガイドの取り換えは、例えば次のように実行される。詳しくは、先ず、移動手摺においてトラス外に位置する部分を手摺ガイドレールから取り外した状態、より詳しくは、移動手摺を手摺入込口のところまで手摺ガイドレールから取り外した状態で、乗降口において古いクリップガイドを引き抜く。
【００１４】
次に、新しいクリップガイドの先端部を、ブーツの端面周辺の手が届く手摺ガイドレールの一部分に、手や既存の専用工具で嵌め込む。この嵌め込みは、例えば、ブーツから５〜１５ｃｍ離れた箇所まで実行される。その後、移動手摺において手摺ガイドレールから外れている部分における先端側の一部を、クリップガイドにおいて手摺ガイドレールに嵌合している嵌合部の先端側を覆うように手摺ガイドレールに嵌め込む。
【００１５】
続いて、本開示のクリップガイド押込治具（以下、単に治具と述べる）の挟持部で、クリップガイドにおける嵌合部の一部を少なくとも含む部分を挟持する。なお、この挟持を行う際、治具の挟持部で、クリップガイドの嵌合部の先端側とは反対側の端部を挟持すると共に、挟持部の延在方向の全ての部分で嵌合部を挟持しないようにすると、以下で説明するクリップガイドの一回の押し込み量（ストローク）を長くできると共に、治具を移動させる際に生じるクリップガイドと手摺ガイドレールとの摩擦力も小さくでき、治具を移動させ易くなって好ましい。
【００１６】
続いて、人が治具の取手を持って治具をクリップガイドにおける嵌合部存在側の先端側に押し出して、クリップガイドの嵌合部の先端側をトラスの内側方向に押し込む。治具が、移動手摺において手摺ガイドレールに嵌合している箇所の周辺まで移動して、治具を移動させにくくなると、治具を一旦、クリップガイドから取り外す。
【００１７】
その後、クリップガイドにおける手摺ガイドレールに嵌合していない箇所におけるブーツの端面の周辺部分を手や既存治具で手摺ガイドレールの一部分に嵌め込む。この嵌め込みは、例えば、ブーツから５〜１５ｃｍ離れた箇所まで実行される。続いて、治具の挟持部で、クリップガイドにおいて新たに嵌め込んだ嵌合部の先端側とは反対側の端部を挟持し、治具をクリップガイドにおける嵌合部存在側の先端側に押し出して、クリップガイドの嵌合部の先端側をトラスの内側方向に押し込む。この治具の取り付け、治具の押し出し、クリップガイドの一部の手摺ガイドレールへの手や既存治具による嵌め込み、及び再度の治具の取り付けで構成される一連の動作を複数回繰り返す。クリップガイドの先端がストッパに接触すると、クリップガイド押込作業を終了する。
【００１８】
本開示の治具によれば、弾性を有してクリップガイドの一部をクリップガイド収容溝の幅方向に挟持する挟持部を含んでいるので、治具とクリップガイドの静止摩擦力を大きくでき、クリップガイドを治具に堅固に一時固定できる。また、治具が把持部を含む取手を有するので、取手を用いて力を効率的に治具に付与することができ、治具を所望の方向に容易に移動させることができる。したがって、クリップガイドの一部を治具の挟持部に挟持させた後、人が取手を使ってクリップガイドを押込側に動かすだけで、クリップガイドの押込を容易に実行できる。よって、クリップガイドのブーツの奥側への押込動作を効率的かつ容易に実行でき、クリップガイドの取り換えの労力を低減できる。更には、本開示の治具を用いれば、クリップガイドの嵌合部の交差により、クリップガイドの嵌合部の素手によるブーツ奥側への押込みが極めて困難な場合でも、クリップガイドの押込みを実行できる。その結果、従来このような場合に行われてきた分解作業を行う必要がないので、そのような場合に、クリップガイドの交換作業の労力を各段に低減できる。
【００１９】
また、本開示において、前記挟持部が、その挟持部の間に存在する隙間の前記幅方向の長さが前記クリップガイド収容溝の深さ方向の底側に行くにしたがって徐々に小さくなる内面部を含んでもよい。
【００２０】
上記構成によれば、長尺状のクリップガイドの幅方向の一方側を上記内面部の深さ方向の底側に押し込むだけで、クリップガイドの延在方向の一部を、挟持部に容易かつ堅固に挟持させることができる。
【００２１】
また、本開示において、前記本体及び前記取手が、金属で形成され、前記本体が、直線に略平行に延在し、前記把持部が、前記本体に略平行に延在してもよい。
【００２２】
治具の本体及び把持部が略平行な状態で直線状に延在している場合、力を本体の延在方向に効率的に伝え易く、かつ、本体がある程度の剛性及び重さを持っていることで、クリップガイドに大きな力を効率的に付与し易い。
【００２３】
上記構成によれば、本体及び取手が金属で形成され、本体及び把持部が直線状かつ略平行に延在しているので、クリップガイドに大きな押出力を容易に付与でき、クリップガイドの嵌合部を手摺ガイドレールのストッパ側に容易に押し込むことができる。
【００２４】
また、本開示において、前記クリップガイド収容溝が、前記本体の長手方向の一端から他端まで延在し、前記挟持部が、前記長手方向に延在して、前記挟持部の前記長手方向の両端が、前記長手方向に開口してもよい。
【００２５】
上記構成によれば、クリップガイド収容溝が、本体の長手方向の一端から他端まで延在しており、治具を形成し易い。また、クリップガイド収容溝が、本体の長手方向の一端から他端まで延在し、更に、挟持部が、長手方向に延在して、挟持部の長手方向の両端が、長手方向に開口しているので、クリップガイドを挟持部に挟持させる際に可能なクリップガイドの姿勢の自由度を大きくできる。よって、クリップガイドを容易かつ円滑に挟持部に挟持させ易い。
【００２６】
また、本開示において、前記本体及び前記取手が金属で形成される一方、前記弾性部がゴムで形成され、前記本体が、前記クリップガイド収容溝の深さ方向の底面を画定する底板部を有し、前記取手が、前記把持部の前記延在方向の第１端部と前記底板部における前記クリップガイド収容溝側とは反対側の裏面の第１箇所とを接続する第１接続部と、前記把持部の前記延在方向の第２端部と前記裏面の第２箇所とを接続する第２接続部とを有してもよい。
【００２７】
上記構成によれば、把持部の両側に把持部の端部と本体とを接続する接続部を有し、この二つの接続部を滑り止めとして用いることができる。したがって、人が取手をしっかり握ることができ、取手に大きな力を安定的に付与することができる。
【００２８】
また、本開示において、前記挟持部の少なくとも一方が、前記深さ方向に湾曲すると共に前記長手方向に延在する凹面を含んでもよい。
【００２９】
上記構成によれば、クリップガイドの開口側とは反対側に存在する湾曲部を挟持部で円滑かつ確実に挟持し易い。
【００３０】
また、本開示に係るクリップガイド押込方法は、乗客コンベアのクリップガイドの延在方向の一部の凹部を手摺ガイドレールの縁部に嵌合させる嵌合ステップと、前記クリップガイドにおいて前記縁部に嵌合している嵌合部の一部を少なくとも含む部分を、その凹部の開口側を請求項１乃至４のいずれか１つに記載のクリップガイド押込治具の前記クリップガイド収容溝の開口側に向けた状態で、前記挟持部に挟持させる挟持ステップと、前記嵌合ステップ及び前記挟持ステップの後、前記取手に力を付与することで前記クリップガイド押込治具を前記クリップガイドにおける前記嵌合部側の先端側に押し出すことで、前記嵌合部を押し出し方向に押し込む嵌合部押込ステップと、を含む。
【００３１】
本開示によれば、クリップガイドの押込動作を効率的かつ容易に実行でき、クリップガイドの取り換えの労力を低減できる。また、特に、クリップガイドの嵌合部の交差により、素手による押込みが極めて困難な場合でも、クリップガイドの押込みを実行できる。よって、従来このような場合に行われてきた分解作業を行う必要がないので、そのような場合に、クリップガイドの交換作業の労力を各段に低減できる。
【００３２】
また、本開示において、前記挟持ステップにおいて、前記クリップガイドの一部を前記挟持部における延在方向の一部のみに挟持させてもよい。
【００３３】
上記構成によれば、治具を移動させる際に生じるクリップガイドと手摺ガイドレールとの摩擦力を低減でき、治具を移動させ易い。よって、クリップガイドの押し込む動作を円滑に実行できる。
【発明の効果】
【００３４】
本開示に係るクリップガイド押込治具及び方法によれば、クリップガイドの取り換えの労力を低減できる。
【図面の簡単な説明】
【００３５】
【図１】本発明の一実施形態であるクリップガイド押込治具が用いられるエスカレーターの乗降口を示す図である。
【図２】上記エスカレーターの乗降口の側面図である。
【図３】図１のＢ−Ｂ線拡大断面図である。
【図４】クリップガイドの一部の斜視図である。
【図５】クリップガイド押込治具を上方から見たときの平面図である。
【図６】クリップガイド押込治具を図５に矢印Ｃで示す後側から見たときの背面図である。
【図７】クリップガイド押込治具を図５に矢印Ｄで示す後側から見たときの側面図である。
【図８】クリップガイドを挟んだ状態のクリップガイド押込治具における図７に対応する側面図であり、クリップガイドのみ断面で示す一部断面を含む側面図である。
【図９】クリップガイド押込治具を用いたクリップガイドの交換方法について説明する図である。
【図１０】クリップガイド押込治具を用いたクリップガイドの交換方法について説明する図である。
【図１１】クリップガイド押込治具を用いたクリップガイドの交換方法について説明する図である。
【図１２】クリップガイド押込治具を用いたクリップガイドの交換方法について説明する図である。
【図１３】変形例のクリップガイド押込治具における図７に対応する側面図である。
【図１４】他の変形例のクリップガイド押込治具における図７に対応する側面図である。
【図１５】別の変形例のクリップガイド押込治具における図７に対応する側面図である。
【図１６】更なる変形性のクリップガイド押込治具における図７に対応する側面図である。
【発明を実施するための形態】
【００３６】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。また、以下で説明される構成要素のうち、最上位概念を示す独立請求項に記載されていない構成要素については、任意の構成要素であり、必須の構成要素ではない。また、本明細書で、「略」という文言を用いた場合、「大雑把に言って」という文言と同じ意味合いで用いており、「略」の要件は、人がだいたいそのように見えれば満たされる。また、以下の説明では、乗客コンベアが、エスカレーターである場合について説明を行うが、乗客コンベアは、動く歩道（移動歩道）でもよく、本開示のクリップガイド押込治具及び方法は、動く歩道に適用されてもよい。
【００３７】
図１は、本開示の一実施形態であるクリップガイド押込治具が用いられるエスカレーター１の乗降口１２を示す図であり、図２は、図１のエスカレーター１の乗降口１２の側面図である。
【００３８】
エスカレーター１は、上層階と下層階との間で乗客を搬送する又は移動させる周知構成のものであり、階段状に連なって移動する多数のステップ１４と、ステップ１４の両側にステップ移動方向に延伸して立設される欄干部１６と、欄干部１６上に固定された手摺ガイドレール３０（図３参照）によってガイドされながらステップ１４の移動に同期して移動する無端状の移動手摺１８とを備える。移動手摺１８は、例えばウレタンゴムで形成される。なお、本実施例では、エスカレーター１が、ステップ１４および移動手摺１８が矢印Ａ方向に移動する下りエスカレーターとして運転されている場合について説明する。しかし、エスカレーター１は、ステップ１４および移動手摺１８が矢印Ａ方向とは逆方向に移動する上りエスカレーターとして運転されていてもよい。
【００３９】
図２に示すように、エスカレーター１の下層階側の乗降口１２において、移動手摺１８は、Ｕターン領域１８ａを有し、移動手摺１８は、このＵターン領域１８ａにおいて移動方向を反転させ、トラス２０に形成される手摺入込口２１からトラス２０内へと進入していく。それから、無端状の移動手摺１８は、トラス２０内を上層階側に向かって移動し、上層階側の乗降口においてトラス２０から出た後、上記と同様にＵターン領域を介して移動方向を反転させて再び矢印Ａ方向へと移動する。このようにして移動手摺１８は、下層階と上層階との間で周回移動する。
【００４０】
図２に示すように、移動手摺１８がトラス２０内に進入する手摺入込口２１には、ハンドガードスイッチ装置のブーツ２２が設けられている。ブーツ２２は、略Ｃ字状横断面を有する移動手摺１８と同様に略Ｃ字状の横断面を有する。ブーツ２２は、移動手摺１８の外側を若干の隙間（例えば１〜２ｍｍ程度）を空けて覆うとともにトラス２０の端面から外側に例えば数センチメートル程度突出して配置される。このブーツ２２の外側端面に子供（特に幼児）の手等が当たってブーツ２２がトラス２０の内側へ移動したことがマイクロスイッチ等により検出されると、エスカレーター１の運転を非常停止させる制御が行われるようになっている。
【００４１】
図１及び図２に示すように、エスカレーター１の乗降口１２の床部１５には、例えばステンレス等の金属からなる長方形状の平板で構成される床板３２が設置されている。床板３２は、両側の移動手摺１８の間隔に略等しい幅を有しており、トラス２０に設けられる支持部材（図示せず）上に載置または固定されて設置される。図１に示すように、床板３２のステップ１４側の縁部には、コムプレート３４が連設されている。コムプレート３４には、ステップ１４の踏板上に形成される多数のクリートに対して若干の隙間を空けた状態で噛合するコム３６が固定されている。
【００４２】
図３は、図１のＢ−Ｂ線拡大断面図である。図３に示すように、手摺ガイドレール３０は、金属板を曲げ加工して形成されることができ、Ｕ字状の断面を有する中央部３８と、中央部３８の一端部から外側方に張り出したガイドレール部４０と、中央部３８の他端部から外側方に張り出したガイドレール部４２とを有する。各ガイドレール部４０,４２の縁部には、クリップガイド４４が嵌め込まれる。
【００４３】
クリップガイド４４は、断面がＵ字状のＵ字状部分４５を有する。このＵ字状部分４５は湾曲部を構成する。Ｕ字状部分４５は、ガイドレール部４０,４２の縁部に嵌め込まれ、その縁部を覆う。より詳しくは、クリップガイド４４は、例えばプラスチックを押出し成形することによって細長く連続する部材として形成されたものを、適当な長さに切断して形成される。また、図４に示すように、クリップガイド４４は、第１片部４６及び第２片部４７を有し、第１片部４６と第２片部４７がＵ字状部分４５で連結され、その結果、第１片部４６と第２片部４７との間に凹部４８が形成される。この凹部４８をガイドレール部４０,４２にその先端側から嵌め込むことで、クリップガイド４４がガイドレール部４０,４２に装着される。ガイドレール部４０,４２の先端部は、手摺ガイドレール３０の縁部を構成する。
【００４４】
図３に示すように、手摺ガイドレール３０の外側には、略Ｃ字状断面を有する移動手摺１８が配置される。移動手摺１８は、手摺ガイドレール３０に沿って移動する際、その内面がクリップガイド４４の外面上を摺接する。また、移動手摺１８のさらに外側には、略Ｃ字状の端面形状をなすブーツ２２が移動手摺１８との間に若干の隙間を空けて、かつ、奥行き方向に移動可能に設けられている。
【００４５】
第２片部４７は、ガイドレール部４０,４２における中央部３８側とは反対側に配置され、ガイドレール部４０,４２の外面を覆う外側被覆部４７ａと、外側被覆部４７ａからＵ字状の中央部３８の内面に沿うように延在するレール係止部４７ｂを含む。Ｕ字状部分４５が、ガイドレール部４０,４２の縁部に嵌め込まれ、レール係止部４７ｂが、中央部３８の内面に係止されることにより、クリップガイド４４が、手摺ガイドレール３０に位置決めされ、手摺ガイドレール３０から離脱不可能になる。
【００４６】
続いて、図５〜８を参照して、本実施形態のクリップガイド押込治具（以下、単に治具という）５０について説明する。図５は、治具５０を上方から見たときの平面図であり、図６は、治具５０を図５に矢印Ｃで示す後側から見たときの背面図である。また、図７は、クリップガイド押込治具を図５に矢印Ｄで示す後側から見たときの側面図であり、図８は、クリップガイド４４を挟んだ状態の治具５０における図７に対応する側面図であり、クリップガイド４４のみ断面で示す一部断面を含む側面図である。
【００４７】
図５に示すように、治具５０は、本体５１と、取手５２を有し、本体５１は、直線に平行な一方向に延在する略長い形状を有する。また、図７に示すように、本体５１は、その長手方向の一端から他端まで延在するクリップガイド収容溝５３を有する。また、図６に示すように、取手５２は、本体５１における幅方向のクリップガイド収容溝５３の形成側とは反対側の裏側外面部５７に接続され、長手方向に略平行に延在する把持部５８を有する。本体５１、及び取手５２は、金属で形成される。取手５２は、本体５１と一体に形成されてもよく、本体５１の裏側外面部５７に溶接等により接合されてもよい。
【００４８】
図７に示すように、本体５１は、クリップガイド収容溝５３の深さ方向の底面を画定する底板部６０を有する。また、図５に示すように、取手５２は、把持部５８の延在方向の第１端部５８ａと底板部６０におけるクリップガイド収容溝５３側とは反対側の裏面６３の第１箇所６３ａとを接続する第１接続部６５と、把持部５８の延在方向の第２端部５８ｂと裏面６３の第２箇所６３ｂとを接続する第２接続部６７とを有する。
【００４９】
より詳しくは、本実施例では、図７に示すように、本体５１は、底板部６０に加えて、第１側板部６８と、第２側板部６９を備える。第１側板部６８と第２側板部６９は、互いに略平行に延在してクリップガイド収容溝５３の幅方向に間隔をおいて対向する。また、底板部６０は、第１側板部６８に略直交し、第１側板部６８のクリップガイド収容溝５３の深さ方向の底側の端部と第２側板部６９のクリップガイド収容溝５３の深さ方向の底側の端部とを連結する。図６に示すように、取手５２は、底板部６０におけるクリップガイド収容溝５３側とは反対側の裏面に接続される。
【００５０】
図７に示すように、治具５０は、更に、弾性を有する弾性部５５を備える。弾性部５５は、例えば、ゴムで形成され、クリップガイド収容溝５３の内面に固着されて図７の紙面に垂直な本体５１の長手方向に延在する。図８に示すように、クリップガイド収容溝５３は、クリップガイド４４の延在方向の一部における幅方向の少なくとも一部を、少なくとも一部に収容する。弾性部５５は、クリップガイド４４をクリップガイド収容溝５３の幅方向に挟持する挟持部５５ａ,５５ｂを含む。
【００５１】
挟持部５５ａ,５５ｂは、治具５０の延在方向の一端から他端まで存在してもよく、本体５１の延在方向に関して、治具５０の一部のみに存在して治具５０の延在方向に延在してもよい。挟持部５５ａ,５５ｂは、その隙間の幅方向の長さがクリップガイド収容溝５３の深さ方向の底側に行くにしたがって徐々に小さくなる内面部７０を有する。これにより、クリップガイド４４を、クリップガイド収容溝５３の開口側からクリップガイド収容溝５３に円滑に挿入でき、挟持部５５ａ,５５ｂで堅固に挟持できる。
【００５２】
更には、挟持部５５の一方５５ｂが、深さ方向に湾曲すると共に長手方向に延在する凹面７１を含み、クリップガイド４４は、Ｕ字状部分４５の外面の一部が凹面７１に接触することで凹面７１に摩擦力で係止される。この構成を採用することで、クリップガイド４４をクリップガイド収容溝５３の開口側からクリップガイド収容溝５３に更に円滑に挿入できる。また、クリップガイド４４を、弾性部５５に更に円滑に係止させ易く、かつ、弾性部５５からの離脱も円滑に実行し易い。なお、挟持部５５の一方５５ｂが、深さ方向に湾曲すると共に長手方向に延在する凹面７１を含む場合について説明した。しかし、挟持部の両方が、深さ方向に湾曲すると共に長手方向に延在する凹面を含んでもよく、挟持部の両方が、そのような凹面を有さなくてもよい。
【００５３】
本実施例のように、凹面７１の曲率が、クリップガイド４４のＵ字状部分４５の外面の曲率よりも小さな曲率を有している状態で、Ｕ字状部分４５が弾性部５５の弾性力に抗してクリップガイド収容溝５３の深さ側に押し込まれると、クリップガイド収容溝５３の延在方向であるスライド方向に強い摩擦力を発生させることができる。よって、クリップガイド４４が治具５０に対してすべりを生じることがなく、治具５０でクリップガイド４４を強く前側に押し出すことができる。
【００５４】
なお、図７に矢印Ｅで示す挟持部５５ａ,５５ｂの内面で画定されるクリップガイド挟持溝７４の開口の幅が、外力を受けていない状態のクリップガイド４４の最大厚さに略等しくてもよい。また、矢印Ｆで示すクリップガイド挟持溝７４の開口から５ｍｍ深さの地点でのクリップガイド挟持溝７４の幅が、外力を受けていない状態のクリップガイド４４の最大厚さよりも０.５ｍｍ以上１.５ｍｍ以下小さくてもよく、例えば、クリップガイド４４の最大厚さよりも１.０ｍｍ小さくてもよい。クリップガイド４４の最大厚さが、これらの寸法要件を満たせば、クリップガイド４４をクリップガイド挟持溝７４に円滑に挟持させ易いと共に、クリップガイド挟持溝７４からのクリップガイド４４の離脱も円滑に実行できて好ましい。
【００５５】
次に、図９乃至図１２を用いて、治具５０を用いたクリップガイド４４の交換方法について説明する。治具５０は、クリップガイド４４の交換時に、エスカレーター１の乗降口に位置する手摺入込口２１において手摺ガイドレール３０と移動手摺１８との間の隙間に手摺ガイドレール３０の縁部を覆うクリップガイド４４を押し込むために用いられることができる。より詳しく説明すると、まず、クリップガイド４４の交換を行う作業者は、ハンドガードスイッチ装置のブーツ２２の端面近傍位置まで、適当な又は専用工具を用いて移動手摺１８（図１参照）を手摺ガイドレール３０から取り外した後、乗降口において古いクリップガイドを引き抜いて、手摺ガイドレール３０から引き離す。
【００５６】
次に、図９に示すように、新しいクリップガイド４４の先端部を、ブーツの端面周辺の手が届く手摺ガイドレール３０の一部分に、手や既存の専用工具で嵌め込む。この嵌め込みは、例えば、ブーツから５〜１５ｃｍ離れた箇所まで実行される。また、その後、図１０に示すように、移動手摺１８において手摺ガイドレールから外れている部分１８ａにおける先端側の一部を、クリップガイド４４において手摺ガイドレール３０（図９参照）に嵌合している嵌合部７８の先端側を覆うように手摺ガイドレール３０に嵌め込む。移動手摺１８でクリップガイド４４の嵌合部７８の先端側を覆うことで、クリップガイド４４を移動手摺１８と手摺ガイドレール３０の間に押し込むことが可能になる。
【００５７】
続いて、図１１に示すように、治具５０の挟持部５５ａ,５５ｂ（図７参照）で、クリップガイド４４における嵌合部７８の一部を少なくとも含む部分を挟持する。なお、この挟持を行う際、治具５０の挟持部５５ａ,５５ｂで、クリップガイド４４の嵌合部７８の先端側とは反対側の端部を挟持すると共に、挟持部５５ａ,５５ｂの延在方向の全ての部分で嵌合部７８を挟持しないようにすると、以下で説明するクリップガイドの一回の押し込み量（ストローク）を長くできると共に、治具５０を移動させる際に生じるクリップガイド４４と手摺ガイドレール３０との摩擦力も小さくでき、治具５０を移動させ易くなって好ましい。
【００５８】
続いて、人が治具５０の取手５２を持って治具５０をクリップガイド４４における嵌合部７８存在側の先端側に押し出して、クリップガイド４４の嵌合部７８の先端側をトラスの内側方向に押し込む。治具５０が、移動手摺１８において手摺ガイドレール３０（図９参照）に嵌合している箇所の周辺まで移動して、治具５０を移動させにくくなると、治具５０を一旦、クリップガイド４４から取り外す。
【００５９】
その後、クリップガイド４４における手摺ガイドレール３０に嵌合していない箇所におけるブーツの端面の周辺部分を手や既存治具で手摺ガイドレール３０の一部分に嵌め込む。この嵌め込みは、例えば、ブーツから５〜１５ｃｍ離れた箇所まで実行される。続いて、治具５０の挟持部５５ａ,５５ｂで、クリップガイド４４において新たに嵌め込んだ嵌合部の先端側とは反対側の端部を挟持し、治具５０をクリップガイド４４における嵌合部存在側の先端側に押し出して、クリップガイド４４の嵌合部の先端側をトラスの内側方向に押し込む。
【００６０】
この治具５０の取り付け、治具５０の押し出し、クリップガイド４４の一部の手摺ガイドレール３０への手や既存治具による嵌め込み、及び再度の治具５０の取り付けで構成される一連の動作を、クリップガイド４４の嵌合部７８が手摺ガイドレール３０の先端部に存在するストッパ（図示せず）に到達するまで複数回繰り返す。このようにして、手摺入込口２１からトラス内に延びる手摺ガイドレール部分についてのクリップガイド４４の押込作業を完了する。この押込作業は、図１２、すなわち、治具５０の取り付け動作が完了した瞬間を上から見たときの模式平面図に示すように、同じ手摺ガイドレール３０のもう一方のガイドレール部４２についても実行され、同様に、１基のエスカレーター１について８ヶ所で同様に実行される。なお、図１２に示す状態から、治具５０は、矢印Ｇに示す方向に押し出されることになるが、クリップガイド４４の嵌合部７８の一部を、挟持部５５ａ,５５ｂ（図７参照）における延在方向の全てでなくて一部のみに挟持させている状態では、図１２に示すように、治具５０の長手方向が、手摺ガイドレール３０の延在方向に対して傾斜することになる。この場合、上述のように、治具５０を移動させる際に生じるクリップガイド４４と手摺ガイドレール３０との摩擦力を小さくでき、治具５０を移動させ易い。なお、図１２に示す挟持状態とは異なり、クリップガイド４４の嵌合部７８の一部を、挟持部５５ａ,５５ｂ（図７参照）における延在方向の全てに挟持させている状態で治具５０を矢印Ｇに示す方向に押し出してもよい。その後、移動手摺１８におけるトラス外に位置する部分を外した状態で、エスカレーター１のトラス外に位置する手摺ガイドレール部分にクリップガイド４４を手や専用工具で嵌め込んで装着することで、手摺ガイドレール３０に対するクリップガイド４４の装着が完了する。
【００６１】
以上、本開示に係る治具５０は、エスカレーター１の手摺ガイドレール３０へクリップガイド４４を装着する際に用いられる。また、治具５０は、クリップガイド４４の一部を少なくとも一部に収容するクリップガイド収容溝５３を有する本体５１と、本体５１においてクリップガイド収容溝５３の形成側とは反対側の裏側外面部５７に接続され、手で握ることができる把持部５８を含む取手５２を備える。また、治具５０は、弾性を有する弾性部５５を備え、弾性部５５は、クリップガイド収容溝５３の内面に固定されると共にクリップガイド４４の一部をクリップガイド収容溝５３の幅方向に挟持する挟持部５５ａ,５５ｂを含む。
【００６２】
したがって、弾性を有してクリップガイド４４の一部をクリップガイド収容溝５３の幅方向に挟持する挟持部５５ａ,５５ｂを含んでいるので、治具５０とクリップガイド４４の静止摩擦力を大きくでき、クリップガイド４４を治具５０に堅固に一時固定できる。また、治具５０が把持部５８を含む取手５２を有するので、取手５２を用いて力を効率的に治具５０に付与することができ、治具５０を所望の方向に容易に移動させることができる。したがって、クリップガイド４４の一部を治具５０の挟持部５５ａ,５５ｂに挟持させた後、人が取手５２を使ってクリップガイド４４を押込側に動かすだけで、クリップガイド４４の先端側の嵌合部７８をブーツ２２の奥側に容易に移動させることができる。よって、クリップガイド４４のブーツの奥側への押込動作を効率的かつ容易に実行でき、クリップガイドの取り換えの労力を低減できる。更には、本開示の治具５０を用いれば、クリップガイド４４の嵌合部の交差により、素手による嵌合部７８のブーツ奥側への押込みが極めて困難な場合でも、クリップガイド４４の押込みを実行できる。その結果、従来このような場合に行われてきた分解作業を行う必要がないので、そのような場合に、クリップガイド４４の交換作業の労力を各段に低減できる。
【００６３】
また、挟持部５５ａ,５５ｂが、その挟持部５５ａ,５５ｂの間に存在する隙間の幅方向の長さがクリップガイド収容溝５３の深さ方向の底側に行くにしたがって徐々に小さくなる内面部７０を含んでもよい。
【００６４】
本構成によれば、長尺状のクリップガイド４４の幅方向の一方側を内面部７０の深さ方向の底側に押し込むだけで、クリップガイド４４の延在方向の一部を、挟持部５５ａ,５５ｂに容易かつ堅固に挟持させることができる。
【００６５】
また、本体５１及び取手５２が、金属で形成され、本体５１が、直線に略平行に延在し、把持部５８が、本体５１に略平行に延在してもよい。
【００６６】
治具５０の本体５１及び把持部５８が略平行な状態で直線状に延在している場合、力を本体５１の延在方向に効率的に伝え易く、かつ、本体５１がある程度の剛性及び重さを持っていることで、クリップガイド４４に大きな力を効率的に付与し易い。
【００６７】
上記構成によれば、本体５１及び取手５２が金属で形成され、本体５１及び把持部５８が直線かつ略平行に延在しているので、クリップガイド４４に大きな押出力を容易に付与でき、クリップガイド４４の嵌合部７８を手摺ガイドレール３０のストッパ側に容易に押し込むことができる。
【００６８】
なお、本開示の治具では、本体は、必ずしも直線状に延在している必要はなく、把持部も、本体と略平行に延在している必要はない。
【００６９】
また、図７に示すように、クリップガイド収容溝５３が、本体５１の長手方向の一端から他端まで延在し、挟持部５５ａ,５５ｂが、その長手方向に延在して、挟持部５５ａ,５５ｂの長手方向の両端が、長手方向に開口してもよい。
【００７０】
上記構成によれば、クリップガイド収容溝５３が、本体５１の長手方向の一端から他端まで延在しており、治具５０を形成し易い。また、クリップガイド収容溝５３が、本体５１の長手方向の一端から他端まで延在し、更に、挟持部５５ａ,５５ｂが、長手方向に延在して、挟持部５５ａ,５５ｂの長手方向の両端が、長手方向に開口しているので、クリップガイド４４を挟持部５５ａ,５５ｂに挟持させる際に可能なクリップガイド４４の姿勢の自由度を大きくできる。よって、クリップガイド４４を容易かつ円滑に挟持部５５ａ,５５ｂに挟持させ易い。
【００７１】
なお、本開示の治具では、クリップガイド収容溝は、本体の長手方向の一端から他端まで延在している必要はない。例えば、本開示の治具では、クリップガイド収容溝の一端又は両端に、クリップガイド収容溝がその延在方向の外部に開口するのを防ぐ封鎖部が設けられていてもよく、クリップガイド収容溝が、本体の長手方向の一端から他端まで延在していなくてもよい。また、挟持部も、その長手方向に延在して、挟持部の長手方向の両端が、長手方向に開口していなくてもよい。
【００７２】
また、本体５１及び取手５２が金属で形成される一方、弾性部５５がゴムで形成されてもよく、本体５１が、クリップガイド収容溝５３の深さ方向の底面を画定する底板部６０を有してもよい。また、取手５２が、把持部５８の延在方向の第１端部５８ａと底板部６０におけるクリップガイド収容溝５３側とは反対側の裏面６３の第１箇所６３ａとを接続する第１接続部６５と、把持部の５８の延在方向の第２端部５８ｂと裏面６３の第２箇所６３ｂとを接続する第２接続部６７とを有してもよい。
【００７３】
本構成によれば、把持部５８の両側にその端部５８ａ,５８ｂと本体５１とを接続する接続部６５,６７を有し、この二つの接続部６５,６７を滑り止めとして用いることができる。したがって、人が取手５２をしっかり握ることができ、取手５２に大きな力を安定的に付与することができる。
【００７４】
また、挟持部５５ａ,５５ｂの少なくとも一方が、深さ方向に湾曲すると共に長手方向に延在する凹面７１を含んでもよい。
【００７５】
本構成によれば、クリップガイド４４の開口側とは反対側に存在するＵ字状部分４５を挟持部５５ａ,５５ｂで円滑かつ確実に挟持し易い。
【００７６】
また、本開示に係るクリップガイド押込方法は、エスカレーター１のクリップガイド４４の延在方向の一部の凹部を手摺ガイドレール３０の縁部に嵌合させる嵌合ステップを含む。また、本開示に係るクリップガイド押込方法は、クリップガイド４４において上記縁部に嵌合している嵌合部７８の一部を少なくとも含む部分を、その凹部の開口側を治具５０のクリップガイド収容溝５３の開口側に向けた状態で、挟持部５５ａ,５５ｂに挟持させる挟持ステップを含む。また、本開示に係るクリップガイド押込方法は、嵌合ステップ及び挟持ステップの後、取手５２に力を付与することで治具５０をクリップガイド４４における嵌合部７８側の先端側に押し出すことで、嵌合部７８を押し出し方向に押し込む嵌合部押込ステップを含む。なお、嵌合ステップと、挟持ステップは、どちらを先に実行してもよく、同時に実行される期間を含んでもよい。
【００７７】
本開示によれば、クリップガイド４４の押込動作を効率的かつ容易に実行でき、クリップガイド４４の取り換えの労力を低減できる。また、特に、クリップガイド４４の嵌合部７８の交差により、素手による押込みが極めて困難な場合でも、クリップガイド４４の押込みを実行できる。よって、従来このような場合に行われてきた分解作業を行う必要がないので、そのような場合に、クリップガイドの交換作業の労力を各段に低減できる。
【００７８】
また、挟持ステップにおいて、クリップガイド４４の一部を挟持部５５ａ,５５ｂにおける延在方向の一部のみに挟持させてもよい。
【００７９】
本構成によれば、治具５０を移動させる際に生じるクリップガイド４４と手摺ガイドレール３０との摩擦力を低減でき、治具５０を移動させ易い。よって、クリップガイド４４の押し込む動作を円滑に実行できる。
【００８０】
尚、本開示に係る治具は、上述した形態のものに限定されず、種々の変更や改良が可能である。
【００８１】
例えば、上記実施形態では、本体５１及び取手５２が金属で形成される一方、弾性部５５がゴムで形成される場合について説明した。しかし、本体及び取手は、常温（２０℃±1５℃（５〜３５℃）においてゴムよりも硬い熱可塑性樹脂や熱硬化性樹脂で構成されてもよい。また、弾性部は、ゴム以外の材料、例えば、弾性を有するエポキシ樹脂や弾性を有するシリコン樹脂等で構成されてもよい。
【００８２】
また、図７に示すように、挟持部５５ａ,５５ｂの幅方向の寸法が、クリップガイド挟持溝７４の深さ方向の底側に行くにしたがって徐々に小さくなる場合について説明した。また、挟持部５５ａ,５５ｂの内面が、深さ方向に湾曲すると共に長手方向に延在する凹面７１を有する場合について説明した。
【００８３】
しかし、図１３、すなわち、変形例の治具１５０における図７に対応する側面図に示すように、挟持部１５５ａ,１５５ｂの内面は、湾曲面を有さなくてもよい。そして、矢印Ｈで示す挟持部１５５ａ,１５５ｂの幅方向の寸法が、クリップガイド挟持溝１７４の深さ方向の底側に行くにしたがって徐々に小さくなってもよい。
【００８４】
又は、図１４、すなわち、他の変形例の治具２５０における図７に対応する側面図に示すように、矢印Ｉで示す挟持部２５５ａ,２５５ｂの幅方向の寸法が、クリップガイド挟持溝２７４の深さ方向で変化せずに一定でもよく、クリップガイド４４の最大厚さよりも短くてもよい。そして、挟持部２５５ａ,２５５ｂの幅方向の寸法を拡大するように、クリップガイド４４をクリップガイド挟持溝２７４に押し込むことで、クリップガイド４４（図１４では図示せず）を挟持部２５５ａ,２５５ｂに静止摩擦力で係止してもよい。
【００８５】
また、本体５１が、底板部６０、第１側板部６８、及び第２側板部６９を備え、第１側板部６８と第２側板部６９は、互いに略平行に延在し、底板部６０が、第１側板部６８及び第２側板部６９の一方側端部同士を連結し、第１側板部６８に直交する場合について説目した。
【００８６】
しかし、図１５、すなわち、別の変形例の治具３５０における図７に対応する側面図に示すように、本体３５１が、断面略Ｕ字形状を有してもよく、断面において内面３５９がＶ字形状になるように弾性部３５５を本体３５１の内面に固着してもよい。
【００８７】
又は、図１６、すなわち、更なる変形性の治具４５０における図７に対応する側面図に示すように、本体４５１が、断面略Ｕ字形状を有してもよく、断面において内面４５９がＵ字形状になるように断面Ｕ字状の弾性部４５５を本体４５１の内面に沿うように固着してもよい。
【００８８】
要は、本開示の治具は、クリップガイドの一部を少なくとも一部に収容するクリップガイド収容溝を有する本体と、本体においてクリップガイド収容溝の形成側とは反対側の裏側外面部に接続され、手で握ることができる把持部を含む取手と、クリップガイド収容溝の内面に固定されると共にクリップガイドの一部をクリップガイド収容溝の幅方向に挟持する挟持部を含み、弾性を有する弾性部と、を備えれば、如何なる構造を有してもよい。
【符号の説明】
【００８９】
１  エスカレーター、  １８  移動手摺、  ３０  手摺ガイドレール、  ４０,４２  ガイドレール部、  ４４  クリップガイド、  ４５  Ｕ字状部分、  ４８  凹部、  ５０,１５０,２５０,３５０,４５０  治具、  ５１,３５１,４５１  本体、  ５２  取手、  ５３  クリップガイド収容溝、  ５５,３５５,４５５  弾性部、  ５５ａ,５５ｂ,１５５ａ,１５５ｂ,２５５ａ,２５５ｂ  挟持部、  ５７  裏側外面部、  ５８  把持部、  ５８ａ  第１端部、  ５８ｂ  第２端部、  ６０  底板部、  ６３  裏面、  ６５  第１接続部、  ６７  第２接続部、  ７０  内面部、  ７１  凹面、  ７８  嵌合部、  ３５９,４５９  内面。
【図１】
0006847167.tif 000002
【図２】
0006847167.tif 000003
【図３】
0006847167.tif 000004
【図４】
0006847167.tif 000005
【図５】
0006847167.tif 000006
【図６】
0006847167.tif 000007
【図７】
0006847167.tif 000008
【図８】
0006847167.tif 000009
【図９】
0006847167.tif 000010
【図１０】
0006847167.tif 000011
【図１１】
0006847167.tif 000012
【図１２】
0006847167.tif 000013
【図１３】
0006847167.tif 000014
【図１４】
0006847167.tif 000015
【図１５】
0006847167.tif 000016
【図１６】
0006847167.tif 000017